(57)【要約】【課題】洗濯兼脱水槽に給水する第二の給水路において水の漏出が起こっても、洗濯機の機能上に支障を生じない部分に排出し、乾燥中の洗濯物を濡らしたり、機能上の障害を与えたりすることのない洗濯機を提供する。【解決手段】洗剤を収容する洗剤収容容器２１と、この洗剤収容容器２１に水を供給する第一の給水路３２と洗濯兼脱水槽内に直接水を供給する第二の給水路３３とが一体に形成された給水部３０と、洗剤収容容器２１に収容された洗剤に第一の給水路３２から供給された水が混合された洗剤混合液を水槽３内に供給する洗剤液供給路４１が形成された枠体４０と、を有する洗剤投入部２０を備え、第二の給水路３２の一部に水抜き孔３２ｆが設けられ、この水抜き孔３２ｆから漏出した水が洗剤液供給路４１に排出される。【選択図】図６
2008099920.tif 000002
【特許請求の範囲】
【請求項１】
洗濯物を収容して回転駆動される洗濯兼脱水槽を内包した水槽を洗濯機筐体内に収容して、前記水槽内への給水、排水、および前記洗濯兼脱水槽の回転を制御して、洗濯、すすぎ、脱水の各工程を実施する洗濯機において、
洗剤を収容する洗剤収容容器と、該洗剤収容容器に水を供給する第一の給水路と前記洗濯兼脱水槽内に直接水を供給する第二の給水路とが一体に形成された給水部と、前記洗剤収容容器に収容された洗剤に前記第一の給水路から供給された水が混合された洗剤混合液を前記水槽内に供給する洗剤液供給路が形成された枠体と、を有する洗剤投入部を備え、
前記第二の給水路の一部に水抜き孔が設けられ、該水抜き孔から漏出した水が前記洗剤液供給路に排出されることを特徴とする洗濯機。
【請求項２】
前記第二の給水路の一部に空気抜き孔が設けられ、該空気抜き孔から漏出した水が前記洗剤液供給路に排出されることを特徴とする請求項１に記載の洗濯機。
【請求項３】
前記第二の給水路と前記洗濯兼脱水槽とを連通する給水ホースは、一部分が下方に湾曲して垂れ下がった湾曲部として形成されて、前記第二の給水路と前記洗濯兼脱水槽とに接続されていることを特徴とする請求項１または２に記載の洗濯機。
【発明の詳細な説明】
【技術分野】
【０００１】
本発明は、洗剤収容容器とこの洗剤収容容器に給水する給水部とを備える洗濯機に関するものである。
【背景技術】
【０００２】
従来、洗濯機の洗濯兼脱水槽に水をシャワー状に噴射して、衣類等の洗濯物を湿らせて洗浄効果を高めるように構成された洗濯機が開発されており、このため、水道水からの給水口の直下流からそれぞれに給水弁を介して２つの給水路に分岐して、洗剤を収納する洗剤ケースを経由して洗濯兼脱水槽内に給水する第一の給水路と、直接洗濯兼脱水槽を臨む水槽の開口部周辺に給水する第二の給水路（シャワー給水用の給水路）とが洗濯機筐体内の上部に配設されている。このような洗濯機として、例えば、下記特許文献１に示されるような構成を有するものが知られている。
【０００３】
特許文献１に記載されたドラム式洗濯機６０では、駆動モータ５で回転され略水平方向または傾斜方向に回転軸を有する回転ドラム６２（洗濯兼脱水槽）と、回転ドラム６２を内包した外槽６１（水槽）と、洗剤を収納する洗剤ケース６５と、洗剤ケース６５を介して外槽６１内に給水する第１の給水弁６６と、回転ドラム６２の前面開口部６４から回転ドラム６２の内部に向けて給水する第２の給水弁６７とを備え、洗濯工程時の第１の所定水位よりも低い第２の所定水位まで第１の給水弁６６で給水した後、回転ドラム６２をモータ６３で第１の所定回転速度で所定時間回転させ、その後、第２の給水弁６７で第１の所定水位まで給水し、洗濯工程を実行している。そして、このような構成をとることにより、外槽６１内に洗剤と水が投入された状態で、回転ドラム６２を回転させるので、洗剤をすばやく溶解することができ、また、第２の給水手段６７で水を素早く洗濯物に含ませることができ、早い段階でたたき洗いを実行することができる、としている。
【０００４】
上記のドラム式洗濯機６０において、第２の給水弁６７から回転ドラム６２の前面開口部６４に至る第二の給水路は、第３の給水ホース６８の一端が第２の給水弁６７に接続され、その他端が注水口金部６９に接続され、注水口金部６９が回転ドラム６２の前面開口部６４方向へ開口することにより構成されている。
【０００５】
しかしながら、この第二の給水路を構成する第３の給水ホース６８には、注水口金部６９から噴射し切れなかった水が残りやすく、この残水が、例えば、乾燥工程におけるモータ６３の回転振動に伴って外部に漏出すると、回転ドラム６２において乾燥中の衣類等の洗濯物を濡らし、乾燥が不十分な状態で終わってしまうといった不具合があった。
【０００６】
そこで、第３の給水ホース６８の中に水が残らないよう、第二の給水路の途中に逆止弁を設けて給水路中での残水の逆流を防いだり、空気抜き孔を設けて給水路中の圧力を下げたりするなどの対策が講じられてきた。
【特許文献１】特開２００５−３２８８７３号公報
【発明の開示】
【発明が解決しようとする課題】
【０００７】
しかしながら、第二の給水路の途中に逆止弁を設けるものにあっては、部品点数や第二の給水路中での接続箇所が増加するという難点があり、逆止弁の接続箇所が給水路途中に位置するため、この接続部で水の漏出が起こると、漏出した水が飛散して電装部品等に付着した場合、洗濯機の機能上に障害を与えることにもなっていた。
【０００８】
また、第二の給水路の途中に逆止弁を設けるものにあっても、この空気抜き孔およびその接続部の構造が複雑なものとなり、接続箇所が増加するという難点があるとともに、この空気抜き孔やその接続部で水の漏出が起こると、やはり、漏出した水が飛散して電装部品等に付着した場合、洗濯機の機能上に障害を与えることにもなっていた。
【０００９】
本発明は、以上のような課題に鑑みて為されたものであり、第二の給水路において水の漏出が起こっても、洗濯機の機能上に支障を生じない部分に排出し、乾燥中の洗濯物を濡らしたり、機能上の障害を与えたりすることのない洗濯機を提供することを目的としている。
【課題を解決するための手段】
【００１０】
本発明の請求項１に係る洗濯機は、洗濯物を収容して回転駆動される洗濯兼脱水槽を内包した水槽を洗濯機筐体内に収容して、水槽内への給水、排水、および洗濯兼脱水槽の回転を制御して、洗濯、すすぎ、脱水の各工程を実施する洗濯機において、洗剤を収容する洗剤収容容器と、この洗剤収容容器に水を供給する第一の給水路と洗濯兼脱水槽内に直接水を供給する第二の給水路とが一体に形成された給水部と、洗剤収容容器に収容された洗剤に第一の給水路から供給された水が混合された洗剤混合液を水槽内に供給する洗剤液供給路が形成された枠体と、を有する洗剤投入部を備え、第二の給水路の一部に水抜き孔が設けられ、この水抜き孔から漏出した水が洗剤液供給路に排出されることを特徴とするものである。
【００１１】
本発明の洗濯機においては、洗剤投入部が、洗剤を収容する洗剤収容容器と、この洗剤収容容器と洗濯兼脱水槽に水を供給する給水部と、洗剤液供給路が形成された枠体とを備えて構成され、給水部において、洗剤収容容器に水を供給する第一の給水路と洗濯兼脱水槽内に直接水を供給する第二の給水路とが一体に形成されているとともに、第二の給水路の一部に水抜き孔が設けられ、この水抜き孔から漏出した水が洗剤液供給路に排出されるように構成されている。
【００１２】
したがって、本発明の請求項１に係る洗濯機によれば、洗濯兼脱水槽内に給水した後、第二の給水路において残留した水は水抜き孔を介して洗剤液供給路に排出されるため、第二の給水路で水の漏出が防止されるとともに、洗濯機の機能上に支障を生じない洗剤液供給路に排出されており、乾燥中の洗濯物を濡らしたり、機能上の障害を与えたりすることがない。
【００１３】
本発明の請求項２に係る洗濯機は、請求項１に記載の洗濯機において、第二の給水経路の一部に空気抜き孔が設けられ、この空気抜き孔から漏出した水が洗剤液供給路に排出されるものである。
【００１４】
本発明の請求項２に係る洗濯機によれば、洗濯兼脱水槽内に給水した後は、空気抜き穴から吸入される空気により、これより下流側に水が流れるのが防止される。また、万一この空気抜き孔から漏出した水は、洗剤液供給路に排出され、第一および第二の給水路から外部に漏れ出すことはない。したがって、空気抜き孔を通じて漏出した水は、洗濯機の機能上に支障を生じない洗剤液供給路に排出されて、乾燥中の洗濯物を濡らしたり、機能上の障害を与えたりすることがない。
【００１５】
本発明の請求項３に係る洗濯機は、請求項１または２に記載の洗濯機において、第二の給水路と洗濯兼脱水槽とを連通する給水ホースは、一部分が下方に湾曲して垂れ下がった湾曲部として形成されて、第二の給水路と洗濯兼脱水槽とに接続されているものである。
【００１６】
本発明の請求項３に係る洗濯機によれば、第二の給水路に一端が接続される給水ホースは、その一部分において下方に湾曲して垂れ下がった湾曲部が形成されるようにして、他端が洗濯兼脱水槽に接続される。これにより、第二の給水路から洗濯兼脱水槽内に給水した後、給水ホース内に残留した水がこの垂れ下がった区間に停留することになり、高温の蒸気などが洗濯兼脱水槽から第二の給水ホースを介して洗剤投入部に入り込むのを防止することができる。
【発明の効果】
【００１７】
本発明によれば、第二の給水路において水の漏出が起こっても、洗濯機の機能上に支障を生じない部分に排出し、乾燥中の洗濯物を濡らしたり、機能上の障害を与えたりすることがない。
【発明を実施するための最良の形態】
【００１８】
以下、本発明の洗濯機に係る最良の実施の形態について、図１〜図８に基づき詳細に説明する。図１は、本発明に係る洗濯機の構造を説明するための断面図であり、図２は、その給排水系統を説明するための断面図である。図３は、本発明に係る洗剤投入部が配設される上部前面の概要を説明するための斜視図である。また、図４は、本発明に係る洗濯機の洗剤投入部の概略構造を説明するための斜視図であり、図５は、洗剤投入部における洗剤収容容器および給水部の概略構造を説明するための側面断面図である。さらに、図６は、その給水部における給水経路を説明するための平面断面図であり、図７は、その給水部における導入口側の構造を説明するための斜視図である。なお、下記に開示される実施の形態はすべての点で例示であって、制限的なものではないと考えられるべきである。本発明の技術的範囲は、実施の形態で開示された内容ではなく、特許請求の範囲の記載によって示され、さらに、特許請求の範囲と均等の意味および範囲内でのすべての変更が含まれると解されるべきである。
【００１９】
まず、本発明の実施の形態に係るドラム式洗濯乾燥機１（洗濯機）は、洗濯乾燥機筐体２（洗濯機筐体）内に図示しないサスペンション構造によって水槽３が宙吊り状態に配設され、水槽３内に有底円筒形に形成された回転ドラム４（洗濯兼脱水槽）がその軸心方向を正面側から背面側に向けて下向きに傾斜させて配設されている。水槽３の正面側には回転ドラム４の開口端に通じる衣類出入口が形成され、洗濯乾燥機筐体２の正面側に形成された上向き傾斜面に設けられた開口部を開閉可能に閉じる扉５を開くことにより、衣類出入口を通じて回転ドラム４内に対して洗濯物を出し入れすることができる。扉５が上向き傾斜面に設けられているため、洗濯物を出し入れする作業を、腰を屈めることなく実施でき、一般には横向きにある開口部から洗濯物を出し入れするドラム式洗濯機の作業性の悪さが改善されている。
【００２０】
回転ドラム４には、その周面に水槽３内に通じる多数の透孔４ａが形成され、内周面の複数位置に攪拌突起（図示せず）が設けられている。この回転ドラム４は水槽３の背面側に取り付けられたモータ６によって正転及び逆転方向に回転駆動される。また、水槽３には、給水管路７及び排水管路８が配管接続され、図示しない給水弁及び排水弁の制御によって水槽３内への給水及び排水がなされる。
【００２１】
扉５を開いて回転ドラム４内に洗濯物及び洗剤を投入してドラム式洗濯乾燥機１の運転を開始させると、水槽３内には給水管路７から所定量の注水がなされ、モータ６により回転ドラム４が回転駆動されて洗濯工程が開始される。回転ドラム４の回転により、回転ドラム４内に収容された洗濯物は回転ドラム４の内周壁に設けられた攪拌突起によって回転方向に持ち上げられ、持ち上げられた適当な高さ位置から落下する攪拌動作が繰り返されるので、洗濯物には叩き洗いの作用が及んで洗濯がなされる。
【００２２】
所要の洗濯時間の後、汚れた洗濯液は排水管路８から排出され、回転ドラム４を高速回転させる脱水動作により洗濯物に含まれた洗濯液を脱水し、その後、水槽３内に給水管路７から給水してすすぎ工程が実施される。このすすぎ工程においても、回転ドラム４内に収容された洗濯物は回転ドラム４の回転により攪拌突起により持ち上げられて落下する攪拌動作が繰り返され、すすぎ洗いが実施される。
【００２３】
このドラム式洗濯乾燥機１には、回転ドラム４内に収容した洗濯物を乾燥する機能が設けられ、水槽３内の空気を排気して除湿し、加熱した乾燥した空気を再び水槽３内に送風する循環送風経路９が形成されている。この循環送風経路９の途中には蒸発器１０などの除湿手段、凝縮器１１などの加熱手段及び送風ファン１２などの送風手段が設けられる。この送風ファン１２を回転駆動することにより、循環送風経路１０に空気の流れが発生して洗濯物を収容した回転ドラム４内の空気は透孔４ａを通じて水槽３から送風ファン１２側への循環空気導入管路１３に排気され、送風ファン１２の上流に位置する蒸発器１０に水分を結露させて除湿することと、４００℃程度に昇温する凝縮器１１との熱交換により加熱することとで常に乾燥した高温の空気とされる。この乾燥した高温の空気は送風ファン１２から水槽３への送風管路１４に送り出されて水槽３内に送風される。水槽３内に送風された高温の乾燥空気は透孔８を通じて回転ドラム４内に入って衣類などの洗濯物に曝されながら水槽３へと抜け、再度、循環空気導入管路１３へと導入され、以上の循環送風経路１０での空気の循環の繰り返しにより乾燥工程が実施される。
【００２４】
このようなドラム式洗濯乾燥機１の洗濯機筐体２の上部（操作パネル１５の左側）に、洗剤を収容する洗剤収容容器２１と、給水配管７に接続されて、洗剤収容容器２１に給水する第一の給水路３１と回転ドラム４に給水する第二の給水路３２とが一体に設けられた給水部３０と、断面視略コ字状に形成され、その上面に給水部３０を固定するとともに、この給水部３０との間に形成された空間に洗剤収容容器２１を引き出し自在に収納する枠体４０と、を備えた洗剤投入部２０が配設されている。
【００２５】
枠体４０は、その上面に給水部３０が固定され、この枠体４０と給水部３０とで囲まれた空間に洗剤収容容器２１を収納し、引き出し自在に支持するとともに、その底部に洗剤液供給路４１が形成されており、洗剤収容容器２１（具体的には、後述の粉末洗剤収容部２２、液体洗剤収容部２３および液体仕上剤収容部２４）に収容された洗剤（粉末合成洗剤、液体洗剤、液体仕上剤など）に第一の給水路３１から供給された水が混合された各種の洗剤混合液は、この洗剤液供給路４１およびこの洗剤液供給路４１に接続された第一の給水ホース２６を経由して、水槽３内に送給される。
【００２６】
洗剤収容容器２１は、洗剤投入部２０の枠体４０に引き出し自在に収納され、洗剤収容容器２１には、粉末合成洗剤を収容する粉末洗剤収容部２２と、液体洗剤や液体漂白剤を収容する液体洗剤収容部２３と、液体仕上剤（液体仕上剤）を収容する液体仕上剤収容部２４とを備えて構成されている。粉末洗剤収容部２２の下流側には粉末洗剤投入路２２ａが形成されており、また、液体洗剤収容部２３と液体仕上剤収容部２４の下流側にはそれぞれ液体洗剤投入路２３ａと液体仕上剤投入路２４ａとが形成されている。
【００２７】
液体洗剤収容部２３と液体仕上剤収容部２４に対向する位置にそれぞれ液体洗剤受入口２５ａと液体仕上剤受入口２５ｂとが開口された収容部蓋板２５が、液体洗剤収容部２３と液体仕上剤収容部２４の上方を覆っている。そして、液体洗剤収容部２３と液体仕上剤収容部２４の底部には、それぞれ管状の液体洗剤投入口２３ｂと液体仕上剤投入口２４ｂが上方に向けて立設されているとともに、収容部蓋板２５には、それぞれ液体洗剤投入口２３ｂと液体仕上剤投入口２４ｂを外方より覆い、下端が液体洗剤収容部２３と液体仕上剤収容部２４の底面に達する円筒形状の一対の管状突出部２５ｃが下方に向けて立設されており、その管状突出部２５ｃの下端部には、その側面が側面視コ字状に切り欠かれた流水口２５ｄが形成されている。また、収容部蓋板２５には、一対の管状突出部２５ｃを挟んで、液体洗剤受入口２５ａと液体仕上剤受入口２５ｂの反対側に、それぞれ液体洗剤収容部２３と液体仕上剤収容部２４に臨む受水口２５ｅが開口されている。
【００２８】
また、給水部３０は、ポリプロピレン樹脂からなる２枚の樹脂成形板が熱溶着されることにより、その間に洗剤収容容器２１に水を供給する第一の給水路３１と、回転ドラム４に水を供給する第二の給水路３２とが一体に形成されている。
【００２９】
第一の給水路３１は、洗濯工程において、粉末洗剤収容部２２および液体洗剤収容部２３に給水する給水路Ａ３１ａと、すすぎ工程において、液体洗剤収容部２３に給水する給水路Ｂ３１ｂとの２つの系統に分かれており、第一の給水路３１（給水路Ａ３１ａおよび給水路Ｂ３１ｂ）の導入口３１ｃには不図示の給水弁が取り付けられて、給水のタイミング・時間と給水量とが制御されている。
【００３０】
給水路Ａ３１ａ（第一の給水路）の中間部に当たる給水部３０の下面には、この給水路Ａ３１ａを経て供給される水を粉末洗剤収容部２２に注水する注水口３３が形成され、給水路Ａ３１ａ（第一の給水路）の終端部に当たる給水部３０の下面には、液体洗剤収容部２３に注水する注水口３４が形成されている。また、給水路Ｂ３１ｂ（第一の給水路）の終端部に当たる給水部３０の下面には、この給水路Ｂ３１ｂを経て供給される水を液体仕上剤収容部２４に注水する注水口３５が形成されている。
【００３１】
また、第二の給水路３２は、洗濯工程およびすすぎ工程において、回転ドラム４を臨む水槽３の開口部周辺に設けられた注水口金部３６を介して回転ドラム４内に給水するものであり、注水口金部３６から水をシャワー状に回転ドラム４内に向けて噴射し、回転ドラム４内の衣類等の洗濯物を水で濡らすとともに、回転ドラム４内に給水される水を所定の水位にまで満たすものである。第二の給水路３２の導入口３２ａには給水弁が取り付けられて、給水のタイミング・時間と給水量とが制御されている。
【００３２】
第二の給水路３２は、給水部３０を構成する下方の樹脂成形板に設けられた受水口３２ｂから水が導入され、通水口３２ｃおよびこの通水口３２ｃに接続された第二の給水ホース２７を介して水槽３の注水口金部３６に水を送給するものであり、第二の給水路３２に高い水圧がかかったときに、水の一部を水抜き孔３２ｄおよび排水口３２ｅを介して洗剤収容容器２１の粉末洗剤投入路２２ａから洗剤液供給路４１に排出するとともに、回転ドラム４内に給水した後に、第二の給水路３２に残留した水を水抜き孔３２ｆを介して同じく洗剤液供給路４１に排出する。第二の給水路３２と第一の給水路３１（給水路Ａ３１ａおよび給水路Ｂ３１ｂ）の間は隔壁により互いに隔離されており、それぞれを流通する水が給水部３０内において混じり合うことはない。
【００３３】
第二の給水路３２の導入口３２ａから受水口３２ｂに至る間には空気抜き孔３２ｇが設けられており、回転ドラム４内への給水を終えた後、空気抜き孔３２ｇから吸入される空気により第二の給水路内が負圧になるのが回避され、導入口３２ａと受水口３２ｂとの間に残留した水は下方（給水弁側）に押し下げられ、受水口３２ｂから上方（下流側）に流れ込むのが防止されている。また、この空気抜き孔３２ｇから万一漏出した水は、洗剤液供給路４１に排出される。さらに、回転ドラム４内への給水を終えた後に第二の給水路３２（受水口３２から通水口３２ｃの間）に残留した水もまた、この空気抜き孔３２ｇから吸入される空気により、確実に水抜き孔３２ｆから排出されるように促される。
【００３４】
第二の給水路３２の通水口３２ｃに一端が接続される第二の給水ホース２７は、その通水口３２ｃの下方における一部分において下方に湾曲して垂れ下がった湾曲部２７ａが形成されるようにして、他端が注水口金部３６に接続される。第二の給水路３２から回転ドラム４内に給水した後、第二の給水ホース２７内に残留した水は、この垂れ下がった区間に停留することになる。このことにより、すすぎ工程の後の乾燥工程等において、高温の蒸気などが注水口金部３６から流入し、第二の給水ホース２７を介して洗剤投入部２０に入り込むのを防止することができる。仮に、洗剤投入部２０に蒸気が入ってしまうと、その前面から漏れ出し、結露して前面に垂れ落ちてしまう可能性があるが、第二の給水ホース２７内に残留水が停留することにより、このような事態に至るのが確実に防止されることになる。
【００３５】
注水口３３は、粉末洗剤収容部２２の上方に位置し、粉末洗剤収容部２２に向けて均等に注水するため、給水部３０を構成する下方の樹脂成形板を貫通する多数の孔で構成されている。注水口３４は、収容部蓋板２５の液体洗剤受入口２５ａおよび液体洗剤収納部２３側の受水口２５ｅを上方から臨む２箇所の位置に配設され、大量の水を急速に注水するため、大きな内径を有し、下方の樹脂成形板から液体洗剤収容部２３に向けて垂直に突出した長い流路長を有する管状孔として形成されている。また、注水口３５は、収容部蓋板２５の液体仕上剤受入口２５ｂおよび液体仕上剤収納部２４側の受水口２５ｅを上方から臨む２箇所の位置に配設され、注水口３４と同様、大量の水を急速に注水するため、大きな内径を有し、下方の樹脂成形板から液体仕上剤収納部２４に向けて垂直に突出した長い流路長を有する管状孔として形成されている。
【００３６】
このように構成された洗剤投入部２０では、洗濯工程において、注水口３３から粉末洗剤収容部２２に、注水口３４から液体洗剤受入口２５ａと受水口２５ｅを介して液体洗剤収容部２３に注水され、また、すすぎ工程において、注水口３５から液体仕上剤受入口２５ｂおよび受水口２５ｅを介して液体仕上剤収容部２４に注水される。そして、洗濯工程において、粉末洗剤収容部２２で粉末合成洗剤を希釈拡散した洗剤液は、粉末洗剤投入路２２ａから洗剤液供給路４１および第一の給水ホース２６を通じて水槽３内に送給されるとともに、同時に、液体洗剤収容部２３で液体洗剤を希釈拡散した洗剤液は、流水口２５ｄから、管状突出部２５ｃと液体洗剤投入口２３ｂとの間に形成された隙間を介して、上述したサイフォンの原理により液体洗剤投入口２３ｂに導入され、その下流側に形成された液体洗剤投入路２３ａから洗剤液供給路４１および第一の給水ホース２６を経由して、水槽３内に送給される。また、すすぎ工程において、液体仕上剤収容部２４で液体仕上剤を希釈拡散した仕上液は、同様に、流水口２５ｄから、管状突出部２５ｃと液体仕上剤投入口２４ｂとの間に形成された隙間を介して、液体仕上剤投入口２４ｂに導入され、その下流側に形成された液体仕上剤投入路２４ａから洗剤液供給路４１および第一の給水ホース２６を経由して、水槽３内に送給される。
【００３７】
本実施の形態においては、上述したように、給水部３０において、洗剤収容容器２１に水を供給する第一の給水路３１と、回転ドラム４に水を供給する第二の給水路３２とが一体に形成されており、第二の給水路３２に残留した水は、水抜き孔３２ｆから洗剤収容容器２１の粉末洗剤投入路２２ａを介して洗剤液供給路４１に排出されるため、第二の給水路３２で水の漏出が確実に防止されるとともに、洗濯機の機能上に支障を生じない洗剤液供給路４１に排出されて、乾燥中の洗濯物を濡らしたり、機能上の障害を与えたりすることがない。
【００３８】
本実施の形態においては、第二の給水路３２の一部に空気抜き孔３２ｇが設けられており、空気抜き孔３２ｇから吸入される空気により受水口３２ｂから上方に水が流れるのを防止している。また、この空気抜き孔３２ｇから万一漏出した水は、洗剤液供給路４１に排出され、第一および第二の給水路３１、３２から外部に漏れ出すことはない。したがって、空気抜き孔３２ｇを通じて漏出した水は、洗濯機の機能上に支障を生じない洗剤液供給路４１に排出されて、乾燥中の洗濯物を濡らしたり、機能上の障害を与えたりすることがない。
【００３９】
なお、上記の水抜き孔３２ｆおよび空気抜き孔３２ｇは、第二の給水路３２の一部であって、上記のような効果を生むものであれば、どこに設けられても良い。また、空気抜き孔３２ｇは必ずしも設けられる必要はなく、上記のように第二の給水路３２を第一の給水路３１と一体に形成するとともに、第二の給水路３２の一部に水抜き孔３２ｆを設け、第二の給水路３２において残留した水を水抜き孔３２ｆから洗剤液供給路４１に排出するように構成するだけであってもよい。ただ、空気抜き孔３２ｇを設けることによって、より確実に第一および第二の給水路３１、３２からの漏水を防止することができる。
【００４０】
なお、上記の実施の形態では、回転ドラムを傾斜配置したドラム式洗濯乾燥機を例にとって、本発明の技術的内容を説明したが、回転ドラムを水平方向に配した（回転ドラムの軸心を鉛直方向に配した）洗濯機にも本発明の技術的内容を適用することができ、また、乾燥機を伴わない洗濯機にも適用することができる。
【図面の簡単な説明】
【００４１】
【図１】本発明の実施の形態に係る洗濯機の構造を説明するための断面図である。
【図２】本発明の実施の形態に係る洗濯機の給排水系統を説明するための断面図である。
【図３】本発明の実施の形態に係る洗濯機の洗剤投入部が配設される上部前面の概要を説明するための斜視図である。
【図４】本発明の実施の形態に係る洗濯機の洗剤投入部の概略構造を説明するための斜視図である。
【図５】本発明の実施の形態に係る洗濯機の洗剤投入部における洗剤収容容器および給水部の概略構造を説明するための側面断面図である。
【図６】本発明の実施の形態に係る洗濯機の給水部における給水経路を説明するための平面断面図である。
【図７】本発明の実施の形態に係る洗濯機の給水部における導入口側の構造を説明するための斜視図である。
【図８】従来の洗濯機およびその洗剤投入部の構造を説明するための断面図である。
【符号の説明】
【００４２】
１      ドラム式洗濯乾燥機（洗濯機）
２      洗濯乾燥機筐体
３      水槽
４      回転ドラム（洗濯兼脱水槽）
２０    洗剤投入部
２１    洗剤収容容器
２２    粉末洗剤収容部
２３    液体洗剤収容部
２４    液体仕上剤収容部
２５    収容部蓋板
２７    第二の給水ホース（給水ホース）
２７ａ  湾曲部
３０    給水部
３１    第一の給水路
３２    第二の給水路
３２ａ  導入口
３２ｂ  受水口
３２ｃ  通水口
３２ｄ  水抜き孔
３２ｅ  排水口
３２ｆ  水抜き孔
３２ｇ  空気抜き孔
３３，３４，３５  注水口
４０    枠体
４１    洗剤液供給路
【図１】
2008099920.tif 000003
【図２】
2008099920.tif 000004
【図３】
2008099920.tif 000005
【図４】
2008099920.tif 000006
【図５】
2008099920.tif 000007
【図６】
2008099920.tif 000008
【図７】
2008099920.tif 000009
【図８】
2008099920.tif 000010